(57)【要約】【課題】冷却ファンとの距離が短い場合でも風受け板が傾斜することができて、風受け板の軸が重力方向に一致したときでも冷却ファンの動作が止まると風受け板は傾斜前の定位置に戻ることができる冷却ファン用風量計を提供することを目的とする。【解決手段】冷却ファンが発生させる風の流れを受ける風受け板と、風受け板を内部に配置する送風ダクトと、送風ダクトの外側に風受け板の一端を固定支持する固定部と、風受け板の傾斜角度を風量に換算する換算部を備え、風受け板が固定部を支点として固定されていることにより、短い送風ダクトでも微風を受けて風受け板が傾斜回転することができ、短い送風ダクトでも微風を受けて風受け板が傾斜回転することができて、風受け板の回転軸が重力方向に一致したときも冷却ファンの電源が止まると風受け板は傾斜前の定位置に戻ることができ、冷却ファンの微量な風量を測定することが可能となる。【選択図】図１
2010038714.tif 000002
【特許請求の範囲】
【請求項１】
電子機器内に備えられた冷却ファンが発生させる風量を測定する風量計であって、
前記冷却ファンが発生させる風の流れを受ける風受け板と、
前記風受け板を内部に配置する送風ダクトと、
前記送風ダクトの外側に前記風受け板の一端を固定支持する固定部と、
前記風受け板の傾斜角度を風量に換算する換算部を備えたことを特徴とする冷却ファン用風量計。
【請求項２】
前記風受け板は、前記冷却ファンからの風を受ける円板部と、前記固定部に固定支持される支持部と、前記円板部と前記指示部との間に、波板部分を備えたことを特徴とする請求項１記載の冷却ファン用流量計。
【請求項３】
前記冷却ファンが軸流ファンであって、前記風受け板の円板部は、前記軸流ファンのファンモータの回転軸と同芯の開口部を有することを特徴とする請求項１記載の冷却ファン用風量計。
【発明の詳細な説明】
【技術分野】
【０００１】
本発明は、軸流ファン、遠心ファン等の小型冷却ファンを利用した電子機器において、電子機器のファン排気口からのファン風量を測定する冷却ファン用風量計に関するものである。
【背景技術】
【０００２】
一般に冷却ファン関係の風量測定技術としては、既知の円筒ダクトに熱線式風速計を取り付けた空気用流量計（マスフローメータ、質量流量計とも呼ぶ）がある。この空気流量計を使用するときは、流量計に進入する空気流れが十分に安定するように、電子機器のファン排気口と空気流量計との間に十分に長い送風ダクトを取り付けている。さらに、空気流れを安定させるため数枚の整流板を備えており、空気用流量計の圧力損失（流路抵抗、流路インピーダンス、システムインピーダンスとも呼ぶ）が大きくなっている。
【０００３】
ところで、プラズマディスプレイテレビおよび液晶テレビなどの平面型ディスプレイテレビは、壁掛けタイプを目指して更なる薄型化が進んでいる。とくに壁掛け用の平面型ディスプレイテレビの筐体厚みは、厚みが気にならないものとして３０ｍｍ程度と言われている。そのため羽根直径が６０ｍｍ、ファン厚みが１５ｍｍを越える一般的な軸流ファンは、壁掛け用平面型ディスプレイテレビの冷却ファンとして寸法的に成立しない。したがって寸法的に成立して最大静圧が大きな遠心ファンを壁掛け用平面型ディスプレイテレビに使う必要がある。しかし、テレビ筐体内では構成要素が隙間なく配置され空気の通り道が狭隘化してテレビ筐体の圧力損失が大きくなるため、遠心ファンの空冷能力を持ってしても充分と言えない状況にある。
【０００４】
ここで、十分に長い送風ダクトを有する従来の空気流量計を壁掛け用平面型ディスプレイテレビのファン排気口に取り付けると、圧力損失が一層増大する。その結果として、従来の空気流量計を用いて壁掛け用平面型ディスプレイテレビからのファン排気風量を測定すると、ファンＰＱ特性から推測した風量の１／２程度と小さくなる。ゆえに、壁掛け用平面型ディスプレイテレビのファン排気量を従来の空気流量計で計測することは困難である。
【０００５】
そこで本発明者は、圧力損失の小さい空気流量計として特許文献１、特許文献２の風受け板方式の簡易風量計に注目している。図１１（ａ）は特許文献１記載の従来の簡易風量計の断面図、図１１（ｂ）は従来の簡易風量計の外観図である。従来の簡易風量計は、風受け板００１と、送風ダクト００２と、支点００３、指針００４、目盛板００５とから構成されている。
【０００６】
送風ダクト００２の内側に、支点００３を中心に回動可能な風受け板００１を配置する。そして、送風ダクト００２の外側壁に風受け板００１と連動する指針００４と、指針００４の動きと対応するよう目盛板００５を貼り付ける。この簡易風量計を電子機器の冷却ファンの排気口に取り付けると、冷却ファンからの排気により風受け板００１が傾斜して風量を表示することが出来る。
【０００７】
支点００３は滑らかに回転するので、熱線式風速計を取り付けた空気流量計では計測困難だった微風量測定の可能性がある。
【０００８】
従来の簡易風量計を、遠心ファンを用いた壁掛け用平面型ディスプレイテレビのファン排気口に取り付けて、風量を測定しようとしたとき、風量が小さいことから送風ダクトを短くするなどの工夫が必要であると考えられる。
【０００９】
図１２（ａ）は従来の簡易風量計で遠心ファンの風量を測定するときの分解斜視図、図１２（ｂ）は風受け板の回転軸が遠心ファンモータの回転軸および重力方向と直交するとき風受け板が受ける風圧を説明する図、図１２（ｃ）は風受け板の回転軸が重力方向を向くとき遠心ファンから受ける風圧を説明する図である。
【００１０】
図１２（ａ）の従来の簡易風量計は、風受け板０２０と軸０６２と取り付け板０５０と第一送風ダクト０３０と第二送風ダクト０１０から構成される。第二送風ダクト０１０は、透明なアクリル樹脂で板厚２ｍｍ、直径８０ｍｍ、長さ４０ｍｍの円筒０１１と、ネジ締め用穴を有するフランジ０１２と、内径１ｍｍのテフロン（登録商標）パイプで作られた軸受け０１３が設けられている。取り付け板０５０は、ポリカーボネート樹脂で作られた８０ｍｍ正方の板０５１に、遠心ファン０７０の排気口に対応する長方形穴０５２が設けられている。軸０６２は直径０．５ｍｍの鉄線である。風受け板０２０は、ポリスチレン樹脂（ＰＳ）から作られた直径７４ｍｍ、板厚０．１５ｍｍの円板０２１と、テフロン（登録商標）パイプで作られた軸受け０２２で構成される。予め軸０６２を軸受け０１３と軸受け０２２に通した後、軸０６２の両端に、内径０．４ｍｍの穴を持つポリエチレン樹脂（ＰＥ）の軸止めワッシャ０６１を圧入して、風受け板０２０を第二送風ダクト０１０に取り付ける。風受け板０２０は軸０６２と軸受け０１３と軸受け０２２を介して回動可能である。第一送風ダクト０３０も透明なアクリル樹脂で板厚２ｍｍ、直径８０ｍｍ、長さ４０ｍｍの円筒０３１で出来ており、ネジ０４０で第二送風ダクト０１０に固定される。
【特許文献１】実開平０５−０８４８６７号公報
【特許文献２】特開平０９−０６１４４４号公報
【発明の開示】
【発明が解決しようとする課題】
【００１１】
しかしながら、前記従来の簡易風量計では、以下のような課題を有している。
【００１２】
まず、遠心ファンの流速分布について説明する。図１３は遠心ファンに長い送風ダクトを取り付けたときの空気の流速分布図である。ファン羽根直径７５ｍｍ、ファン厚み１２ｍｍの遠心ファン０７０を長い送風ダクト００９に取り付けたとき、遠心ファン０７０からの距離Ｌ１（＝２０ｍｍ）、Ｌ２（＝２４０ｍｍ）、Ｌ３（＝１０００ｍｍ）での空気の流速分布を表している。図１３のように遠心ファン０７０との距離がＬ３以上になると流速分布は均一になるが、遠心ファン０７０との距離がＬ２以下になると流速分布不均一になる。
【００１３】
次に、遠心ファンの流速分布が不均一な位置で風量を測定する場合、例えば、図１２（ｂ）のように簡易風量計の風受け板０２０の軸０６２が遠心ファンモータ０７０の回転軸および重力方向０８４と直交させて配置する。遠心ファン０７０を動作させると、空気が風受け板０２０に向かって送風される。風受け板０２０は空気の風圧を受けて回転方向０８０に回転する。しかし空気の速度分布０９０は風受け板０２０に対して一様でないため、風受け板０２０は回転方向０８１に曲げモーメントを受けて微振動する。また軸０６２と、軸受け０１３および軸受け０２２にはガタ（隙間）があるため、風受け板０２０は軸６２方向に微振動して風受板０２０の姿勢が安定しない。
【００１４】
また、図１２（ｃ）のように風受け板０２０の軸０６２が重力方向０８４を向けて配置する。軸０６２は重力方向０８４に一致している。遠心ファン０７０を動作させると空気が風受け板０２０に向かって流れ始め、風受け板０２０は回転方向０８０の方向に回転する。ところで遠心ファン０７０の動作を止めると風受け板０２０は回転した位置で静止し元の位置に戻らず、風量計として成立しないという課題がある。他にも軸０６２が重力方向０８４に一致するため、風受け板０２０の軸受け０２２が第二送風ダクト０１０の軸受け０１３に当接して回転方向０８０への摩擦作用も発生する。
【００１５】
本発明は、前記従来の課題を解決するもので、遠心ファンなどの冷却ファンとの距離が短い場合でも、微風を受けて風受け板が傾斜することができて、風受け板の軸が重力方向に一致したときでも冷却ファンの動作が止まると風受け板は傾斜前の定位置に戻ることができる冷却ファン用風量計を提供することを目的とする。
【課題を解決するための手段】
【００１６】
前記従来の課題を解決するために、本発明の風量計は、冷却ファンが発生させる風の流れを受ける風受け板と、風受け板を内部に配置する送風ダクトと、送風ダクトの外側に風受け板の一端を固定支持する固定部と、風受け板の傾斜角度を風量に換算する換算部を備えている。
【００１７】
本構成によって、短い送風ダクトでも微風を受けて風受け板が傾斜回転することができ、風受け板の回転軸が重力方向に一致したときも冷却ファンの動作が止まると風受け板は傾斜前の定位置に戻ることができ、冷却ファンの微量な風量を測定することが可能となる。
【発明の効果】
【００１８】
静圧が数１０Ｐａ以下という空冷能力が小さな冷却ファンを用いて空冷する電子機器において、電子機器のファン排気口付近へ取り付けて冷却ファンの微風量を測定でき、さらに風量計の風受け板の回転軸が重力方向に対してどの向きでもファン風量を測定できる。
【発明を実施するための最良の形態】
【００１９】
以下本発明を実施するための最良の形態について、図面を参照しながら説明する。
（実施の形態１）
まず、本発明の実施の形態１の風量計の構成を説明する。図１は本発明の実施の形態１に係る風量計の分解斜視図である。図１のように、風量計１００は、第一送風ダクト１５０と、風受け板１１０と、第二送風ダクト２００と、取り付け板２６０と、押さえ板２５０と、表示シール１６０と、表示シール１７０と、ネジ０４０とから構成されている。
【００２０】
風受け板１１０は、ネジ０４０により、押さえ板２５０とともに取り付け板２６０に固定される。取り付け板２６０は第二送風ダクト２００の上部に接着剤にて固定されている。
【００２１】
押さえ板２５０はアルミ製の板材であり、３４ｍｍ×５ｍｍの長方形で板厚２ｍｍ、中央にネジを通すための穴が２箇所設けている。この押さえ板２５０にて風受け板１１０を第二送風ダクト２００上部の取り付け板２６０に固定する。
【００２２】
第一送風ダクト１５０と第二送風ダクト２００が持つフランジの穴を合わせて、ネジ０４０に締結される。
【００２３】
表示シール１６０と表示シール１７０は、透明なポリスチレン樹脂（ＰＳ）のフィルムで作られており、フィルムの片面に風受け板１００の傾斜角を風量に換算する数値が記載されている。そして２つの表示シールはフィルムの反対面に粘着糊を塗り、第一送風ダクト１５０および第二送風ダクト２００の円筒側面に貼り付ける。
【００２４】
次に、風量計１００の構成部品について説明する。図２は、本発明の実施の形態１に係る風受け板の斜視図である。風受け板１１０はポリスチレン樹脂（ＰＳ）の成型品であり、冷却ファンからの風を受ける主な構成要素である円板１１１は直径７４ｍｍ、板厚０．１５ｍｍである。円板１１１の上部には幅２０ｍｍで長さ２０ｍｍの突き出し部がある。突き出し部の中央には波板１１２があり、その上部に平坦な支持部１１３があり、支持部１１３にはネジを通すための穴１１４が備えている。支持部１１３が、ネジ０４０により押さえ板２５０と一緒に取り付け板２６０へ固定される。
【００２５】
図３は、第二送風ダクト２００と取り付け板２６０の分解斜視図である。第二送風ダクト２００は、透明なアクリル樹脂で板厚２ｍｍ、直径８０ｍｍ、長さ４０ｍｍの円筒２０１に、切り欠き部２０２と、雌ネジを施したフランジ２０３を四隅に備えたものである。切り欠き部２０２は幅２４ｍｍで、円筒２０１の端面から円筒の軸方向に長さ３ｍｍの形状である。取り付け板２６０は、アルミ製の平板２６１と凹部２６３と雌ネジ２６２から構成されている。平板２６１は板厚５ｍｍで、３４ｍｍ×２４ｍｍの長方形で円筒２０１に沿うように長方形の一辺は円弧となっている。凹部２６３はポケット形状をしており、平板２６１の上面を幅５ｍｍ残して、深さ３ｍｍ切削して形成する。切り欠き部２０２と凹部２６３の目的は、風受け板１１０が風圧により傾斜するときに、傾斜角が小さな状態で風受け板１１０の波板１１２が第二送風ダクト２００あるいは凹部２６３に接触して、風受け板１１０が本来の風量に見合うだけ傾斜しないことを防止するためである。
【００２６】
図４は、本発明の実施の形態１に係る第一送風ダクトの斜視図である。第一送風ダクト１５０は、透明なアクリル樹脂で板厚２ｍｍ、直径８０ｍｍ、長さ４０ｍｍの円筒１５１に、切り欠き部１５２と、ネジを通すための穴があいたフランジ１５３を四隅に備えたものである。切り欠き部１５２は幅２４ｍｍで、円筒１５１の端面から円筒の軸方向に長さ３ｍｍの形状である。
【００２７】
図５は、遠心ファンの斜視図である。本発明の風量計の機能検証に用いた遠心ファン０７０を説明する。ファン羽根直径は７５ｍｍ、ファンケーシング０７１の厚みは１２ｍｍである。遠心ファン０７０の駆動電圧が５Ｖのとき最大静圧は２０Ｐａ、最大風量が１００リットル／分の市販品を使用している。ファン羽根は回転軸０７３を回転方向０７２の廻りに回転する。空気は吸気口０７４からファン内部に入り、ファン羽根の回転に沿って外側に旋回しながら排気口０７５からファン外部へ出て行く。
【００２８】
次に、風量計１００の風量測定について説明する。図６は本発明の実施の形態１に係る風量計に関して中心軸を通る断面図で、風量計１００の上流側に取り付け板０５０を介して被測定物の遠心ファン０７０を取り付けファン単体の風量を測定している。風受け板１１０を支持している取り付け板２６０と遠心ファン０７０までの距離は短いが、風受け板１１０は遠心ファン０７０の送風方向に傾斜角θだけ傾斜している。第一送風ダクト１５０と表示シール１６０（図１参照）は透明なので、風受け板１１０の傾斜角θに対応する表示シール１６０に記載された風量値から風量を測定できる。
【００２９】
続いて風受け板１１０の支持部１１３を第二送風ダクト２００の外側に設けるときの作用を説明する。まず図１２（ａ）に示す従来の簡易風量計は、軸０６２が第一送風ダクト０１０の内部に配置されている。図１２（ａ）で示すように、第一送風ダクト０１０の下部を流れる空気が風受け板０２０を押すので風受け板０２０は軸０６２のまわりに回転できる。しかし第一送風ダクト０１０の上部を流れる空気は、風受け板０２０の軸０６２付近に当たるため「てこの原理」で言う支点と作用点の距離が短く、風受け板０２０の傾斜角θに及ぼす影響は小さい。そこで本発明の実施の形態１に係る風量計１００は図１のように風受け板１１０の支持部１１３を第二送風ダクト２００の外側に設けることで、風受け板１１０が第二送風ダクト２００の下部を流れる空気だけでなく、第二送風ダクト２００の上部を流れる空気の風圧も受けられ、大きな傾斜角θにて傾斜回動できる。
【００３０】
次に、風受け板１１０の波板１１２の作用を説明する。図７（ａ）は風受け板の回転軸が重力方向０８４に平行なとき風受け板１１０が遠心ファン０７０から受ける風圧を説明する図である。風受け板１１０のＡ軸は波板１１２の稜線に平行な軸である。支持部１１３が第二送風ダクト２００の取り付け板２６０に固定されているため、遠心ファン０７０が動作して円板１１１に風が当たると風圧により風受け板１１０はＡ軸廻りに弾性変形して傾斜する、従ってＡ軸が風受け板１１０の回転軸となる。また遠心ファン０７０の動作が止まると風受け板１１０を弾性変形させる風圧が消滅するので、風受け板１１０は元の位置に戻ことができる。
【００３１】
また、従来の簡易風量計では図１２（ｃ）の姿勢で風受け板が取り付けられると遠心ファン０７０の動作が止まったとき風受け板１１０が元の位置に戻れないが、本発明の実施の形態１に係る風量計１００ではこの課題が解決できる。さらには円板１１１と支持部１１３の間に波板１１２を設けることで、波板でない平板の場合と比較してＡ軸廻りに弾性変形しやすく、少ない風量でも風受け板１１０は傾斜可能となる。
【００３２】
Ｂ軸はＡ軸と直角な軸で、円板１１１の中心から支持部１１３の方向に伸びている。波板１１２のＢ軸廻りの断面二次モーメントは、波板でない平板の断面二次モーメントと比較して大きく、Ｂ軸廻りには変形しにくい。従って図７（ｂ）に示す取り付け姿勢においても、風受け板１１０はＢ軸廻りには曲げ変形せず、Ａ軸廻りの傾斜が安定する。
【００３３】
以上のように、波板１１２は、傾斜すべきＡ軸廻りには少ない風量で大きく傾斜し、Ｂ軸廻りには曲げ変形しにくい作用を持つ。
【００３４】
次に、ファン風量と風受け板の傾斜角θとの関係について説明する。図８（ａ）は本発明の実施の形態１に係る風量計１００のファン風量と風受け板の傾斜角θとの関係をファンＰＱ特性測定装置で計測している図で、ファン風量と傾斜角θの関係を求めるため、ファンＰＱ測定装置６００に風量計１００を取り付けた状態を表している。また、図８（ｂ）は図８（ａ）に対して送風方向が反対のときのファン風量と風受け板の傾斜角θとの関係を計測している図である。ＰＱ測定装置６００は市販品で、図８（ａ）のように空気はＰＱ測定装置６００から風量計１００に流れる方向と、逆に図８（ｂ）のように風量計１００からＰＱ測定装置６００へ流れる方向の両方の流れを作ることができる。
【００３５】
図８（ａ）で示す空気は、補助送風機６０７の作用により吸気口６０８からＰＱ測定装置６００に進入し、空気用流量計６０６とチャンバー６０１を通り風量計１００に到達する。圧力センサ６０２と圧力センサ６０５は、それぞれチャンバー６０１の内外の圧力差を圧力センサ６０３に伝達する。
【００３６】
実施の形態１の風量計１００をファンＰＱ測定装置６００に取り付けた結果、例えば７０リットル／分の風量のとき風受け板１１０の傾斜角θは６．５度であった。第一送風ダクト１５０、第二送風ダクト２００とも透明なアクリル樹脂だから、風受け板１１０の傾斜状況を外部から目視できる。風量は空気用流量計６０６でわかる。風受け板１１０の円板１１１の直径は７４ｍｍと大きく、傾斜角θが５度以上有れば風量計として充分の分解能がある。このようにして得られた風受け板１１０の傾斜角θと風量の関係に従い、図１にように透明な表示シール１６０に目盛りを記入し第一送風ダクト１５０に貼り付ける。
【００３７】
次に、図８（ｂ）のようにＰＱ測定装置６００の空気流れを反転させ、上記と同じように、補助送風機６０７で空気を吸い出すときの風量と風受け板１１０の傾斜角θとの関係を求め、透明な表示シール１７０に数値と目盛りを記入し、第二送風ダクト２００に貼り付ける。二つの表示シールを貼り付けて風量計１００の組み立てが完了する。
【００３８】
最後に、電子機器筐体に取り付けられた冷却ファンからの排気風量の測定方法について説明する。図９（ａ）は本発明の実施の形態１に係る風量計１００を用いてプラズマディスプレイテレビ７００の排気用冷却ファンの風量を測定している図である。ここでの冷却ファンは遠心ファン０７０を用いる。プラズマディスプレイテレビ７００は、テレビの筐体７０２の背面下にある吸気口７０５から冷たい空気を取り込み、プラズマディスプレイパネル７０１および電気基板７０３を空冷し、温められた空気を遠心ファン０７０で筐体７０２の外へ排気している。そして風量計１００を遠心ファン０７０の排気口７０４へ取り付けると、傾斜角θに対応した風量が表示シール１６０の目盛りから読み取れる。また、図９（ａ）において、遠心ファン０７０から排気された空気は風向変換ダクト７１０により９０度曲げている。図９（ｂ）は遠心ファンからの排気空気の風向きを方向変換ダクトで変換している図である。これにより、図９（ａ）のように３ｃｍの筐体厚みのプラズマディスプレイテレビ７００を構成している。
【００３９】
図９（ｃ）は本発明の実施の形態１に係る風量計１００を用いてプラズマディスプレイテレビの吸気用冷却ファンの風量を測定している図である。吸気口７０５に遠心ファン０７０を取り付け、風向変換ダクト７１５（詳細図は省略）と組み合わせることで、遠心ファン０７０を吸気型として使用している。この場合風受け板１１０は、吸気口７１５に向かって傾斜する。風量計は透明なアクリル樹脂なので傾斜角θに対応した風量が表示シール１７０の目盛りから読み取れる。
【００４０】
以上のように、風受け板１１０の端部に波板１１２を備え、風受け板１１０の支持部１１３を第二送風ダクト２００の外側に出して固定することにより、風受け板１１０の回転軸が重力方向と平行となる姿勢で被測定物の遠心ファン０７０に取り付けられたときに、遠心ファン０７０を動作させると微風なファン風量を受けて風受け板１１０は傾斜できるとともに、ファンの動作を止めたときに風受板１１０は元の位置に戻ることができ、電子機器筐体内の遠心ファン０７０から排気される微量な風量を測定できる。
（実施の形態２）
本発明の実施の形態２について図１０を用いて説明する。同じ構成要素については実施の形態１と同じ符号を用い、説明と図を省略することがある。
【００４１】
実施の形態１と比較して実施の形態２の特徴は、軸流ファンの風量を測定するもので、風受け板中央に開口部が開いていることである。
【００４２】
図１０（ａ）は本発明の実施の形態２に係る風量計の分解斜視図である。風量計１０５は、第一送風ダクト１５０と、風受け板１１７と、第二送風ダクト２００と、取り付け板２６０と、押さえ板２５０と、表示シール１６０と、表示シール１７０と、ネジ０４０とから構成されている。
【００４３】
風量計１０５は、軸流ファン０７８を備えた電子機器筐体（例えばプラズマディスプレイテレビ）のファン排気口に取り付ける。このとき風受板１１７の開口部１１８が軸流ファン０７８のファンモータ０７９の回転軸と同芯になるよう風量計１０５の位置を調整する。
【００４４】
風受け板１１７はポリスチレン樹脂（ＰＳ）の成型品であり、軸流ファン０７８からの風を受ける主な構成要素である円板１１１は直径７４ｍｍ、板厚０．１５ｍｍであり、中央に開口部１１８が開いている。円板１１１の上部には幅２０ｍｍで長さ２０ｍｍの突き出し部がある。突き出し部の中央には波板１１２があり、その上部に平坦な支持部１１３があり、支持部１１３にはネジを通すための穴１１４が備えている。支持部１１３が、ネジ０４０により押さえ板２５０と一緒に取り付け板２６０へ固定される。
【００４５】
開口部１１８の直径については、開口部１１８の直径をＤ１、ファンモータ０７９の直径をＤ２とすると、直径比Ｄ１／Ｄ２が１．０〜１．７となる範囲に直径を設定する。風受け板１１７は、ネジ０４０により、押さえ板２５０とともに取り付け板２６０に固定される。取り付け板２６０は第二送風ダクト２００の上部に接着剤にて固定されている。開口部１１８は円板１１１と同芯に設けられている。
【００４６】
押さえ板２５０はアルミ製の板材であり、３４ｍｍ×５ｍｍの長方形で板厚２ｍｍ、中央にネジを通すための穴が２箇所設けている。この押さえ板２５０にて風受け板１１７を第二送風ダクト２００上部の取り付け板２６０に固定する。
【００４７】
次に風受け板１１７の開口部１１８の作用について説明する。図１０（ｂ）は本発明の実施の形態２に係る風量計に関して送風ダクトの中心軸を通る断面図である。
【００４８】
軸流ファン０７８を動作させると空気は軸流ファン０７８から風量計１０５に向かって流れるが、ファンモータ０７９直後の下流領域では空気流れが軸流ファン０７８の送風方向と逆向きになる。これは軸流ファン特有の現象であるが、ファン羽根を通過した空気流れはファンモータ０７９付近の静止空気を引きずりながら下流へと進む。一方でファンモータ０７９付近の空気を補充するために、空気はいずれ反転してファンモータ０７９付近に逆流しなければならない。よってファンモータ０７９下流には逆流現象が発生し、ファンモータ０７９下流領域は負圧となる。風受け板１１７に開口部１１８がないと負圧により風受け板１１７は軸流ファン０７８側に傾斜する、あるいは風受け板１１７が微振動して風受け板の傾斜角が安定しない課題がある。ところが風受け板１１７に開口部１１８を設けると、ファンモータ０７９下流領域の負圧の影響を受けないから、風受け板１１７は軸流ファン０７８と反対側に傾斜することが可能となる。ただし開口部１１８の直径Ｄ１が大きくなると風受け板１１７の風を受ける面積が減るため、ファンモータ０７９の直径Ｄ２との直径比Ｄ１／Ｄ２を１．０〜１．７にしておくことが望ましい。
【００４９】
風受け板１１７の支持部１１３を第二送風ダクト２００の外側に設けるときの作用および、風受け板１１７の波板１１２の作用は実施の形態１と同じであり、両者とも被測定物の軸流ファン０７８が微風量でも風受け板１１７の傾斜を大きく出来る。
【００５０】
以上のように、風受け板１１７の端部に波板１１２を備え、風受け板１１７の支持部１１３を第二送風ダクト２００の外側に出して固定することにより、風受け板１１７の回転軸が重力方向と平行となる姿勢で被測定物の軸流ファン０７８に取り付けられたときに、軸流ファン０７８を動作させると微風なファン風量を受けて風受け板１１７は傾斜できるとともに、ファンの動作を止めたときに風受板１１７は元の位置に戻ることができ、電子機器筐体内の軸流ファン０７８から排気される微量な風量を測定できる。
【産業上の利用可能性】
【００５１】
本発明にかかる冷却ファン用風量計は、電子機器のファン排気口からの風量を電源無しで測定できる。特に最大静圧が数１０Ｐａ以下の小型の冷却ファンを使用した電子機器のファンの排気風量測定に有用である。遠心力を用いた遠心ファン、シロッコファン等に有用だが、軸流ファンにも転用可能である。
【図面の簡単な説明】
【００５２】
【図１】本発明の実施の形態１に係る風量計の分解斜視図
【図２】本発明の実施の形態１に係る風受け板の斜視図
【図３】本発明の実施の形態１に係る第二送風ダクトと取り付け板の分解斜視図
【図４】本発明の実施の形態１に係る第一送風ダクトの斜視図
【図５】遠心ファンの斜視図
【図６】本発明の実施の形態１に係る風量計に関して送風ダクトの中心軸を通る断面図
【図７】（ａ）は風受け板の回転軸が重力方向に平行なとき風受け板が遠心ファンから受ける風圧を説明する図、（ｂ）は風受け板の回転軸が重力方向に直交するとき風受け板が遠心ファンから受ける風圧を説明する図
【図８】（ａ）は本発明の実施の形態１に係る風量計と風受け板の傾斜角との関係をファンＰＱ特性測定装置で計測している図、（ｂ）は（ａ）に対して送風方向が反対のときの風量計と風受け板の傾斜角との関係を計測している図
【図９】（ａ）は本発明の実施の形態１に係る風量計を用いてプラズマディスプレイテレビの排気用冷却ファンの風量を測定している図、（ｂ）は遠心ファンからの排気空気の風向きを方向変換ダクトで変換している図、（ｃ）は本発明の実施の形態１に係る風量計を用いてプラズマディスプレイテレビの吸気用冷却ファンの風量を測定している図
【図１０】（ａ）は本発明の実施の形態２に係る風量計の分解斜視図、（ｂ）は本発明の実施の形態２に係る風量計に関して送風ダクトの中心軸を通る断面図
【図１１】（ａ）は従来の簡易風量計の断面図、（ｂ）は従来の簡易風量計の外観図
【図１２】（ａ）は従来の簡易風量計で遠心ファンの風量を測定するときの分解斜視図、（ｂ）は風受け板の回転軸が遠心ファンモータの回転軸および重力方向と直交するとき風受け板が受ける風圧を説明する図、（ｃ）は風受け板の回転軸が重力方向を向くとき遠心ファンから受ける風圧を説明する図
【図１３】遠心ファンに長い送風ダクトを取り付けたときの空気の流速分布図
【符号の説明】
【００５３】
０４０    ビス
０７０    遠心ファン
０７１    ケーシング
０７２    回転方向
０７３    回転軸
０７４    吸気口
０７５    排気口
０７８    軸流ファン
０７９    ファンモータ
０８０    回転方向
０８１    回転方向
０８４    重力方向
０９０    速度分布
１００    風量計
１０５    風量計
１１０    風受け板
１１１    円板
１１２    波板
１１３    支持部
１１４    穴
１１８    開口部
１５０    第一送風ダクト
１５１    円筒
１５２    切り欠き部
１５３    フランジ
１６０    表示シール
１７０    表示シール
２００    第二送風ダクト
２０１    円筒
２０２    切り欠き部
２０３    フランジ
２５０    押さえ板
２６０    取り付け板
２６１    平板
２６２    雌ネジ
２６３    凹部
６００    ファンＰＱ特性測定装置
６０１    チャンバー
６０２    圧力センサ
６０３    圧力計
６０４    排気口
６０５    圧力センサ
６０６    空気用流量計
６０７    補助送風機
６０８    吸気口
７００    プラズマディスプレイテレビ
７０１    プラズマディスプレイパネル
７０２    筐体
７０３    電気基板
７０４    排気口
７０５    吸気口
７１０    風向変換ダクト
７１５    風向変換ダクト
Ｄ    ファン羽根直径
Ｌ１    遠心ファン排気口から距離
Ｌ２    遠心ファン排気口から距離
Ｌ３    遠心ファン排気口から距離
Ａ軸    風受け板の回転軸
Ｂ軸    風受け板の面内を通り、Ａ軸に直角な軸
【図１】
2010038714.tif 000003
【図２】
2010038714.tif 000004
【図３】
2010038714.tif 000005
【図４】
2010038714.tif 000006
【図５】
2010038714.tif 000007
【図６】
2010038714.tif 000008
【図７】
2010038714.tif 000009
【図８】
2010038714.tif 000010
【図９】
2010038714.tif 000011
【図１０】
2010038714.tif 000012
【図１１】
2010038714.tif 000013
【図１２】
2010038714.tif 000014
【図１３】
2010038714.tif 000015